(57)【特許請求の範囲】
【請求項１】
情報記憶媒体と、
上記情報記憶媒体が回動自在に収納される情報記憶媒体収容室が内部に形成されると共に、平面部に上記情報記憶媒体の情報記憶面の一部を露出させる開口窓が形成されたカートリッジ筐体と、
上記カートリッジ筐体の上記平面部に沿って回動可能に設けられ、上記開口窓を開閉する開閉扉と、
上記開閉扉の一端に設けられたロックバンドを係止する係止爪を設けた係止部材を有するロック機構と、
を備え、
上記カートリッジ筐体は、円形の挿入方向前半部と角形の挿入方向後半部を有し、当該カートリッジ筐体には、上記情報記憶媒体収容室と同心をなす円周溝を設け、
上記係止部材は上記情報記憶媒体収容室の外部に配置され、
上記ロックバンドは、上記円周溝内に摺動自在に収納され、上記開閉扉の回動と共に上記ロックバンドが上記円周溝内に摺動し、上記開口窓を閉じた位置で上記係止爪を上記ロックバンドの係止穴に係止して上記開閉扉をロックする
ことを特徴とする情報記憶媒体カートリッジ。
【請求項２】
上記カートリッジ筐体は、一対のシェルを重ね合わせることにより内部に情報記憶媒体収容室を形成し、
上記一対のシェルのうち一方のシェルは、互いに重ね合わされる一対のシェル板からなり、当該一対のシェル板には開口窓を互いに対応させてそれぞれ設けると共に、両シェル板間に上記開閉扉を回動自在に介在させた
ことを特徴とする請求項１記載の情報記憶媒体カートリッジ。
【請求項３】
上記開閉扉は、上記情報記憶媒体収容室と同心をなす円周に沿って回転する
ことを特徴とする請求項１記載の情報記憶媒体カートリッジ。
【請求項４】
上記開口窓は、上記カートリッジ筐体の上記挿入方向前半部に形成した
ことを特徴とする請求項１記載の情報記憶媒体カートリッジ。
【発明の詳細な説明】
【０００１】
【発明の属する技術分野】
本発明は、光ディスクや光磁気ディスク等の情報記憶媒体がカートリッジ筐体内に回転自在に収容された情報記憶媒体カートリッジに関し、特に、保存状態において微小のゴミがカートリッジ筐体内に侵入するのを効果的に抑制することができる情報記憶媒体カートリッジに関する。
【０００２】
【従来の技術】
従来、一般に、音声、映像或いはコンピュータのデータ等の情報の記録及び／又は再生が可能な情報記憶媒体がカートリッジ筐体内に回転自在に収容された情報記憶媒体カートリッジとしては、例えば、図１５に示すような構成のものが知られている。この情報記憶媒体カートリッジは、コンピュータのデータ等の情報を使用者が後から記録書き込みできる追記形光磁気ディスクＤを内蔵しているディスクカートリッジ１であり、図１５のような外観形状を有している。
【０００３】
即ち、このディスクカートリッジ１は、一対の上下シェル２ａ，２ｂによって構成されるカートリッジ筐体２と、このカートリッジ筐体２のディスク収容室３内に回転自在に収容された光磁気ディスク４等を備えている。カートリッジ筐体２の上下両面には、中央部から一辺に向かって延びる上下の開口窓５が設けられており、この開口窓５は、その一辺に沿ってスライド可能とされた開閉扉６によって開閉可能とされている。そして、光磁気ディスク４の中央部には、情報記憶装置の本体側に設けられるターンテーブルにチャッキングされるセンタ穴７ａを有するハブ部７が設けられており、このハブ部７が開口窓５の中央部に対応されている。
【０００４】
【発明が解決しようとする課題】
しかしながら、このような構成を有する従来のディスクカートリッジにおいては、開閉扉６をコ字状に形成してカートリッジ筐体２の一辺に嵌め合わせ、その一辺に沿って開閉扉６をスライドさせて開口窓５を開閉させる構造となっていたため、カートリッジ筐体２と開閉扉６との間に大きな隙間ができてしまい、微小なゴミの侵入を防ぐことができないという課題があった。
【０００５】
この場合、カートリッジ筐体２内に侵入した微小なゴミが光磁気ディスク４の情報記憶面に付着すると、このゴミによって読取りあるいは書込みビームが遮蔽されたり、情報記憶面が傷つけられ、正常な情報の読み書きができなくなってしまう。特に、大容量の情報記憶装置では、微小なゴミといってもその影響は無視することができず、微小なゴミの侵入をも防ぐことができるディスクカートリッジが望まれている。
【０００６】
更に、上述した従来のディスクカートリッジ１においては、使用者の手に触れ易いところに開閉扉６があるため、使用者が誤って開閉扉６をスライドさせて開口窓５を開けてしまうおそれがあった。しかも、開閉扉６がカートリッジ筐体２の一辺に沿って直線的に移動するため、カートリッジ筐体２の表面積を小さくできないという課題もあった。
【０００７】
また、従来の記憶媒体カートリッジの他の例としては、例えば、特開平７−６４９３号公報に記載されているようなディスクカートリッジもある。このディスクカートリッジは、半分が円形で残る半分が方形の上ケースと、この上ケースと同形状の下ケースと、上下ケースの円形部分にディスク中心から見て９０度開いた位置に設けられた２つの切欠部と、下ケースの２つの切欠部の中央に設けられた記憶窓と、切欠部と記憶窓を覆い上下ケースの円形部分に嵌め込まれた回動シャッタと、上下ケース内のディスク中心に対して切欠部と対称な位置に設けられた従動ローラーとを備えている。
【０００８】
このディスクカートリッジにおいては、回動シャッタが上下ケースの円形部分を曲線的に移動するように構成されているが、その回動シャッタは上述した開閉扉６と同様コ字状に形成されており、この回動シャッタを上下ケースの円形部分に嵌め合わせる構造となっていたため、同じく上下ケースと回動シャッタとの間に大きな隙間ができてしまい、微小なゴミの侵入を防ぐことができないという課題がある。
【０００９】
本発明は、このような従来のディスクカートリッジの課題に鑑みてなされたものであり、カートリッジ筐体の少なくとも一方の平面部に開口窓を設けると共に情報記憶媒体収容室と同心をなす円周溝を設け、この円周溝内にロックバンドを摺動自在に収納し、カートリッジ筐体の平面部の平面に沿って開閉扉を回動させ、開口窓を閉じた位置でロック機構によりロックバンドを係止して開閉扉をロックする構成とすることにより、カートリッジ筐体と開閉扉との間にできる隙間を可及的に小さくしてゴミ対策を行うことにより、上記課題を解決することを目的としている。
【００１０】
【課題を解決するための手段】
本発明は、上述したような課題を解決し、上記目的を達成するために、情報記憶媒体と、この情報記憶媒体が回動自在に収納される情報記憶媒体収容室が内部に形成されると共に、平面部に情報記憶媒体の情報記憶面の一部を露出させる開口窓が形成されたカートリッジ筐体と、このカートリッジ筐体の平面部に沿って回動可能に設けられ、開口窓を開閉する開閉扉と、この開閉扉の一端に設けられたロックバンドを係止する係止爪を設けた係止部材を有するロック機構と、を備え、カートリッジ筐体は、円形の挿入方向前半部と角形の挿入方向後半部を有し、このカートリッジ筐体には、情報記憶媒体収容室と同心をなす円周溝を設け、係止部材は情報記憶媒体収容室の外部に配置され、ロックバンドは、円周溝内に摺動自在に収納され、開閉扉の回動と共にロックバンドが円周溝内に摺動し、開口窓を閉じた位置で係止爪をロックバンドの係止穴に係止して開閉扉をロックすることを特徴としている。
【００１１】
本発明は、上述のように構成したことにより、カートリッジ筐体の開口窓が設けられた平面部の平面に沿って開閉扉が回動されると共にロックバンドが円周溝に沿って摺動して開口窓を閉じた位置でロック機構により係止されて開閉扉がロックされるため、カートリッジ筐体と開閉扉との間にできる隙間を可及的に小さくすることができ、保存状態において微小なゴミがカートリッジ筐体内に入り込むのを効果的に抑制することができる。
【００１２】
【発明の実施の形態】
以下、本発明の実施の形態を添付図面を参照して説明する。図１〜図１０は、本発明の前提となる技術に係る実施の例を示すもので、図１は下面側から見たディスクカートリッジの斜視図、図２はディスクカートリッジの分解斜視図、図３は下シェル板を取り除いた開閉扉閉状態のディスクカートリッジの平面図、図４は更に上シェル板を取り除いた開閉扉閉状態のディスクカートリッジの平面図、図５は下シェル板を取り除いた開閉扉開状態のディスクカートリッジの平面図、図６は更に上シェル板を取り除いた開閉扉開状態のディスクカートリッジの平面図、図７は図３のＡ−Ａ線拡大断面図、図８は図３のＢ−Ｂ線拡大断面図、図９は図５のＣ−Ｃ線拡大断面図、図１０は第２のロック機構を拡大して示す斜視図である。
【００１３】
また、図１１〜図１４は、本発明の実施の例を示すもので、図１１は一方のシェル板を取り除いた開閉扉閉状態のディスクカートリッジの平面側断面図、図１２は図１１のＤ−Ｄ線拡大断面図、図１３は一方のシェル板を取り除いた開閉扉開状態のディスクカートリッジの平面側断面図、図１４は図１３のＥ−Ｅ線拡大断面図である。
【００１４】
情報記憶媒体カートリッジの一具体例を示す第１の実施の例に係るディスクカートリッジ１０は、情報記憶媒体の一具体例として記録再生両用の光ディスク１１を使用したものである。図１及び図２において下面側を上にして示すように、このディスクカートリッジ１０は、一対の上シェル１３及び下シェル１４を重ね合わせることによって形成されるカートリッジ筐体１２と、このカートリッジ筐体１２内に形成された情報記憶媒体収容室であるディスク収容室１５内に回転自在に収容される光ディスク１１と、下シェル１４に形成された開口窓１６を開閉できる開閉扉１７等を備えている。
【００１５】
上シェル１３は、挿入方向前半部である前半分が略半円形をなし且つ挿入方向後半部である後半分が略四角形をなしていて適当な厚みを有する板状体からなり、その内面には円形の凹陥部からなるディスク収容室１５が設けられている。この上シェル１３の挿入方向前半部は、図３〜図６に示すように、前後方向と直交する方向である幅方向の略中央部から一側に設けた中央中心円弧部１３ａと、同じく幅方向の略中央部から他側に設けた後部中心円弧部１３ｂとからなっている。この上シェル１３の挿入方向前半部の中央中心円弧部１３ａの円弧中心はディスク収容室１５の略中央部に設定されている一方、後部中心円弧部１３ｂの円弧中心は挿入方向後半部の後部角部の近傍に設定されていて、この後部中心円弧部１３ｂによって後述する開閉扉１７のロックピンをガイドするように構成している。
【００１６】
更に、上シェル１３の挿入方向前半部の中央部には、中央中心円弧部１３ａから後部中心円弧部１３ｂに至る凹欠部１８を設け、この凹欠部１８の後部中心円弧部１３ｂ側の先端部には段部１８ａが設定されている。そして、凹欠部１８の中央中心円弧部１３ａ側にはバネ支持ピン１９を設けると共に、このバネ支持ピン１９の外側にはピン支持穴８ｂが設けられている。更に、上シェル１３の幅方向の両側面部には、ディスク記録再生装置に装着する際の位置決めや誤挿入防止等の役割を果たすガイド溝２０，２１がそれぞれ前後方向に延在させて設けられている。
【００１７】
これらガイド溝２０，２１は、一端が中央中心円弧部１３ａ及び後部中心円弧部１３ｂにそれぞれ開口されていると共に、他端は挿入方向後半部の後部近傍まで延びている。そして、一方のガイド溝２０の後部近傍には連通凹部２２が設けられている。この連通凹部２２は、上シェル１３の挿入方向後半部後部の一方の角部に設けられた凹陥部２３に連通されている。この凹陥部２３は、前後方向に延びる仕切り状の条体２４によって外凹部２３ａと内凹部２３ｂとに仕切られており、内凹部２３ｂには凸起軸２５が立設されている。そして、ディスク収容室１５の周囲には、これに重ね合わされる下シェル１４との間でネジ止めするための複数のネジ孔１３ｃが設けられている。更に、上シェル１３の挿入方向後半部後部の両角部には、このディスクカートリッジ１０をディスク記録再生装置の所定位置に位置決めするための一対の位置決め穴２６が設けられている。
【００１８】
このような上シェル１３のディスク収容室１５内に収容される光ディスク１１は、中央部にセンタ穴１１ａが設けられた厚みの薄い円板状の部材からなり、その平面部の一面には、ディスク記憶再生装置に内蔵される光学ピックアップ装置の光学ヘッドが対向される情報記憶の可能な情報記憶面１１ｂが設けられている。この光ディスク１１のセンタ穴１１ａには、ディスク記憶再生装置に内蔵されるディスク回転駆動装置のターンテーブルが嵌合され、このターンテーブルにチャッキングされて光ディスク１１が一体的に回転駆動される。
【００１９】
この光ディスク１１の材質としては、例えば、ポリカーボネート（ＰＣ）やポリオレフィン等の合成樹脂が好適であるが、他の合成樹脂を用いることができることは勿論のこと、合成樹脂以外であっても情報記憶媒体として用いられるガラス材やアルミニウム合金等の各種の材質のものを用いることができる。
【００２０】
また、下シェル１４は、上シェル板１４ａと下シェル板１４ｂとから構成されている。上下のシェル板１４ａ，１４ｂは、図２に示すように、上シェル１３と略同様の形状を有しており、それぞれ挿入方向前半部が略半円形をなし且つ挿入方向後半部が略四角形をなす平面部としての板体によって形成されている。そして、各シェル板１４ａ，１４ｂの挿入方向前半部の略中央部から一側には中央中心円弧部２７ａ，２７ｂを設け、同じく他側には後部中心円弧部２８ａ，２８ｂを設けている。そして、下シェル板１４ｂの挿入方向前半部の略中央部には、中央中心円弧部２７ａの端部から後部中心円弧部２８ａ側に所定量だけ突出するストッパ部２９が設けられている。このストッパ部２９は、開閉扉１７のロックピンを係止してその回動量を制限する。
【００２１】
更に、上下のシェル板１４ａ，１４ｂには、互いに重ね合わせたときに上下に一致される開口窓１６ａ，１６ｂがそれぞれ設けられている。これらの開口窓１６ａ，１６ｂは、一端が略中央部に設定され且つ他端が挿入方向前半部の略中央部近傍に設定された前後方向に直線的に延びる所定幅の長穴状開口部からなっている。そして、上開口窓１６ａに関連させて上シェル板１４ａの一面には、開閉扉１７が回動自在に収納される扉収納凹部３０が設けられている。この扉収納凹部３０は、開口窓１６ａ，１６ｂを開閉するために開閉扉１７が所定角度回動変位したときの形態に対応するように構成されている。
【００２２】
この扉収納凹部３０の形状を説明する前に、まず、開閉扉１７について説明する。この開閉扉１７は、図２に示すように、開口窓１６ａ，１６ｂを完全に閉じることができる短冊状のシャッタ片１７ａと、このシャッタ片１７ａの長手方向の一側に連続されたアーム片１７ｂと、このアーム片１７ｂの先端部に連続して設けられたロック爪１７ｃとを備えている。この開閉扉１７のシャッタ片１７ａの外側端部には、その一面側に突出するロックピン３１が設けられており、このロックピン３１が上記後部中心円弧部１３ｂ，２８ａ，２８ｂに摺動可能に接触される。このシャッタ片１７ａの内側の辺には、開口窓１６ａ，１６ｂを開いた状態において当該開口窓１６ａ，１６ｂとの重なり合いを防止するための円弧状の逃げ部１７ｄが設けられている。
【００２３】
更に、開閉扉１７のアーム片１７ｂは、シャッタ片１７ａのロックピン３１が固定されている角部と対角線をなす方向に延在されて設けられている。そして、図１０に示すように、アーム片１７ｂの先端部には、その一部を下方へ折り出すことによってバネ受け片１７ｅを形成すると共に、このアーム片１７ｂのバネ受け片１７ｅからシャッタ片１７ａ側に若干戻った位置には、この開閉扉１７の回動動作の中心となる回動穴１７ｆが設けられている。この回動穴１７ｆには、上シェル１３の凸起軸２５が回動自在に嵌合される。また、開閉扉１７のロック爪１７ｃは、前後方向に爪片を有するコ字状の部材からなり、アーム片１７ｂの先端部との間に段部１７ｇを設けることによってロック爪１７ｃの高さ位置を調整している。
【００２４】
このような形状を有する開閉扉１７が収納される扉収納凹部３０は、シャッタ片１７ａの移動形状に対応した略扇形をなすシャッタ移動部３０ａと、アーム片１７ｂの移動を許容するアーム移動部３０ｂとを備えている。この扉収納凹部３０のシャッタ移動部３０ａの一方に位置する凹部側縁３２ａは、開口窓１６ａの一方の側縁から所定の間隔をあけて前後方向へ真っ直ぐに延びている。そして、図３及び図４に示すように、開閉扉１７の一方の側縁が凹部側縁３２ａに当接しているときには、シャッタ片１７ａによって開口窓１６ａ，１６ｂが完全に閉じられるようになっている。
【００２５】
また、扉収納凹部３０のシャッタ移動部３０ａの他方に位置する凹部側縁３２ｂは、開口窓１６ａの他方の側縁から所定角度回動した位置において斜め前方へ延びるように設定されている。これにより、図５及び図６に示すように、開閉扉１７の他方の側縁が凹部側縁３２ｂに当接しているときには、逃げ部１７ｄを有するシャッタ片１７ａが開口窓１６ａ，１６ｂを完全に開くことができるようになっている。
【００２６】
更に、扉収納凹部３０のアーム移動部３０ｂの後部中心円弧部２８ａと対角線方向に対向する角部には、凹陥部２３の一部を露出させる第１の開口穴３３と、この第１の開口穴３３の幅方向外側に設定された第２の開口穴３４とが設けられている。第２の開口穴３４は、後述する弾性部材の一部を露出させるもので、上シェル１３の連通凹部２２に対応させて形成されている。そして、上シェル板１４ａの第２の開口穴３４の前側には、上シェル１３側に突出するブロック部３５が設けられている。このブロック部３４は、上シェル１３の外凹部２３ａの一部に嵌合され、これにより上シェル１３に対する上シェル板１４ａの概略の位置決めを行うことができる。
【００２７】
この上シェル板１４ａの扉収納凹部３０の外側には、複数の位置決め用の嵌合穴３６が設けられていて、各嵌合穴３６は上シェル１３のネジ孔１３ｃと対応する位置にそれぞれ設定されている。そして、これらの嵌合穴３６に嵌合される複数の嵌合凸部３７が下シェル板１４ｂの内面に同様の数だけ設けられている。これらの嵌合凸部３７を嵌合穴３６に嵌合させて上下のシェル板１４ａ，１４ｂを重ね合せることにより、それだけで両シェル板１４ａ，１４ｂの位置合わせを行うことができる。そして、これらに止めネジの軸部を挿通させた後、その先端部をネジ孔１３ｃに螺合させることにより、上下のシェル１３，１４を一体的に組付けてカートリッジ筐体１２を構成することができる。
【００２８】
更に、上シェル板１４ａの挿入方向後半部の両角部近傍には、このディスクカートリッジ１０をディスク記録再生装置の所定位置に位置決めするための一対の位置決め穴３８が設けられている。そして、一方の位置決め穴３８の近傍には、第１の開口穴３３を貫通してきた凸起軸２５の中央部に嵌合される凸起３９が設けられている。
【００２９】
また、上シェル１３の凹欠部１８内には、ロックアーム４０が回動自在に取り付けられている。このロックアーム４０は、棒状のアーム本体４０ａと、このアーム本体４０ａの長手方向の一端に設けられたロック爪４０ｂと、アーム本体４０ａのロック爪４０ｂと反対側に設けられ且つ両端が側方に突出する回動ピン４０ｃとを有している。そして、回動ピン４０ｃの一端を上シェル１３のピン支持孔１８ｂに回動自在に嵌合させると共に、その他端を上シェル板１４ａに設けたピン支持孔１８ｂに回動自在に嵌合させることにより、ロックアーム４０がカートリッジ筐体１２に回動自在に軸支されている。
【００３０】
このロックアーム４０の内面には、弾性体の一具体例を示す捩りばね４１の一端が付勢されている。この捩りバネ４１のコイル部はバネ支持ピン１９に緩く嵌合されていて、その他端は凹欠部１８の底面に付勢されている。この捩りバネ４１のバネ力により、ロックアーム４０のロック爪４０ｂは常時凹欠部１８側に付勢されている。このロックアーム４０と捩りバネ４１とにより、開閉扉１７をロックする第１のロック機構が構成されている。
【００３１】
また、上シェル１３の外凹部２３ａ内には、弾性部材の一具体例を示す板バネ体４３が収容されている。この板バネ体４３は、図１０に拡大して示すように、長細い板バネ材からなるバネ本体４３ａと、このバネ本体４３ａの長手の一端部を面方向に若干折り曲げることによって形成された弾性片４３ｂと、バネ本体４３ａの弾性片４３ｂと反対側の両側縁を幅方向に折り曲げることによって同一方向へ立ち上げるように形成されたロック片４４及び入力片４５とを備えている。
【００３２】
この板バネ体４３のロック片４４にはバネ本体４３ａの底部まで達する切欠き４４ａが設けられており、この切欠き４４ａによってロック片４４の外側に係止片４４ｂが設定されている。ロック片４４の弾性片４３ｂ側は傾斜面とされていて、この傾斜面に沿って開閉扉１７のロック爪１７ｃが光ディスク１１の面方向へ移動し、図３及び図１０等に示すロック状態と、図５等に示すロック解除状態とを取ることができる。
【００３３】
また、板バネ体４３の入力片４５は断面Ｌ字状に形成されていると共に、その上面には弾性片４３ｂ側に前下がりとなるよう傾斜平面４５ａが設けられている。この入力片４５は、板バネ体４３を弾性変形させてロック片４４によるロック爪１７ｃの着脱動作を行うための入力部となるもので、ディスク記録再生装置に設けられる操作ピン４８が傾斜平面４５ａ上を摺動する。これにより、バネ本体４３ａの係止片４４ｂ側が押し下げられ、その結果、ロック片４４が下方に抜け出すことによりロック爪１７ｃのロックが解除される。この板バネ体４３により、開閉扉１７をロックする第２のロック機構が構成されている。
【００３４】
このように第１及び第２のロック機構によって二重にロックされる開閉扉１７は、その回動穴１７ｆに挿通される凸起軸２５に緩く嵌合された弾性体の一具体例を示す捩りバネ４６によって開口窓１６ａ，１６ｂを閉じる方向に常時付勢されている。この捩りバネ４６の一端は内凹部２３ｂの内面に着座されている一方、その他端は開閉扉１７のバネ受け片１７ｅに係止されている。従って、開閉扉１７に作用している外力が捩りバネ４６のバネ力のみである場合には、そのバネ力でロック爪１７ｃがロック片４４を乗り越えて切欠き４４ａ内に入り込み、その一方の爪部が係止片４４ｂの内縁に当接された状態になる。
【００３５】
尚、上シェル３及び上下の下シェル板１４ａ，１４ｂの材質としては、例えば、ＡＢＳ樹脂（アクリロニトリル・ブタジエン・スチレン樹脂）が好適であるが、ＨＩＰＳ（高衝撃性ポリスチレン）、ＰＰ（ポリプロピレン）等のその他の合成樹脂を使用することもできる。更に、開閉扉１７及び板バネ体４３の材質としては、例えば、ステンレス鋼板等が好適であるが、その他の金属製板材を適用できることは勿論のこと、ＨＩＰＳ等の合成樹脂を使用することもできる。
【００３６】
上述したような構成を有するディスクカートリッジ１０がディスク記録再生装置に装着される前には、図３及び図４に示すような状態になっている。即ち、開閉扉１７が捩りバネ４６のバネ力によって開口窓１６ａ，１６ｂを完全に閉じた状態にあると共に、その開閉扉１７は第１及び第２のロック機構によりロックされて動かない状態となっている。
【００３７】
このような状態のディスクカートリッジ１０をディスク記録再生装置に挿入することにより、このディスク記録再生装置に設けられる第１及び第２のロック解除機構によって第１及び第２のロック機構のロック状態が解除され、その後、扉開き機構で開閉扉１７を回動させることにより、開口窓１６ａ，１６ｂが開かれることになる。
【００３８】
まず、ディスクカートリッジ１０をディスク記録再生装置に挿入すると、第１のロック解除機構が第１のロック機構によるロックを解除する。この第１のロック解除機構は、例えば、ロックアーム４０を外側に回動させるアーム部材を有する構成とされ、図３，図４に示す状態から、そのアーム部材で捩りバネ４１のバネ力に抗してロックアーム４０を反時計方向へ回動させることにより、ロックアーム４０のロック爪４０ｂが開閉扉１７のロックピン３１から離れ、これにより第１のロック機構によるロックが解除される。
【００３９】
これと同時に或いは前後して、第２のロック解除機構が第２のロック機構によるロックを解除する。この第２のロック解除機構は、例えば、上述した操作ピン４８を有する構成とされ、この操作ピン４８がディスクカートリッジ１０の一方の側面に設けたガイド溝２０内に入り込むことによって実行される。この操作ピン４８がガイド溝２０内に入り込み、入力片４５の傾斜平面４５ａ上に乗り上げると、それまで板バネ体４３は弾性片４３ｂの働きにより三点支持されて両端部が持ち上げられた状態にあるため、操作ピン４８の挿入力によって板バネ体４３のロック片４４側が、図１０において下方に弾性変形される。その結果、ロック片４４が開閉扉１７のロック爪１７ｃの間から下方へ抜け出すことにより、第１のロック機構によるロックが解除される。
【００４０】
これにより、開閉扉１７の２箇所のロックは解除されるが、その開閉扉１７は捩りバネ４６によって開口窓１６ａ，１６ｂを閉じる方向に付勢されているため、このままでは開閉扉１７を動かすことができない。そこで、次に、扉開き機構によって開閉扉１７を回動させる。この扉開き機構は、例えば、捩りバネ４６のバネ力に抗してロックピン３１を押圧して開閉扉１７を動かすことができる押圧部材を備えて構成される。そして、この扉開き機構の押圧部材でロックピン３１を押圧し、図３及び図４に示す状態から図５及び図６に示す状態に開閉扉１７を回動させることにより、開口窓１６ａ，１６ｂが完全に開かれることになる。
【００４１】
これとは逆に、ディスクカートリッジ１０をディスク記録再生装置から取り出そうとすると、上述した第１及び第２のロック解除機構及び扉開き機構が共に逆方向に作動して開閉扉１７が自動的に逆方向へ回動され、この開閉扉１７によって開口窓１６ａ，１６ｂが閉じられることになる。即ち、例えば、扉開き機構の押圧部材によるロックピン３１の押圧力を解除してフリー状態にすると、アーム片１７ｂに作用する捩りバネ４６のバネ力によって開閉扉１７が、図５及び図６に示す状態から図３及び図４に示す状態に回動変位し、元の開口窓１６ａ，１６ｂを閉じた状態に復帰する。
【００４２】
これと連動するように、第２のロック解除機構の操作ピン４８が後退すると、板バネ体４３の弾性変形が解消されて元の状態に復帰するため、そのロック片４４が開閉扉１７のロック爪１７ｃ内に入り込む。これにより、第２のロック機構による開閉扉１７の１段目のロック状態が確保される。これと同様に、第１のロック解除機構のアーム部材によるロックアーム４０の規制が解除されるため、捩りバネ４１のバネ力によりロックアーム４０が元の状態に戻される。その結果、ロックアーム４０のロック爪４０ｂがロックピン３１に係合され、これにより、第１のロック機構による開閉扉１７の２段目のロック状態が確保される。
【００４３】
このように、この第１の実施の例に係るディスクカートリッジ１０によれば、カートリッジ筐体１２の開口窓１６ａ，１６ｂが設けられた下シェル１４の上下のシェル板１４ａ，１４ｂ間に開閉扉１７を介在させ、その平面部の平面に沿って開閉扉１７を回動させる構造としたため、カートリッジ筐体１２と開閉扉１７との間にできる隙間を可及的に小さくすることができた。従って、微小なゴミがカートリッジ筐体１２と開閉扉１７との間の隙間からカートリッジ筐体内に入り込むのを効果的に抑制することができた。しかも、開閉扉１７が下シェル１４内に格納されているため、使用者が誤って開閉扉１７を開けてしまうような事故を未然に防ぐことができる。更に、開閉扉１７には二重のロック機構を設けていることから、使用者が誤って開閉扉１７を開けてしまうような事故を確実に防止することができる。
【００４４】
この発明の実施の例に係るディスクカートリッジ（情報記憶媒体カートリッジ）５０は、図１１〜図１４に示すように、開閉扉５７をカートリッジ筐体５２の外側に露出させるようにしたものである。このディスクカートリッジ５０は、一対の上シェル５３及び下シェル５４を重ね合わせることによって構成されるカートリッジ筐体５２と、このカートリッジ筐体５２内に形成されたディスク収容室（情報記憶媒体収容室）５５内に回転自在に収容される光ディスク（情報記憶媒体）５１と、下シェル５４に形成された開口窓５６を開閉できる開閉扉５７等を備えている。
【００４５】
上シェル５３は、挿入方向前半部である前半分が半円形をなし且つ挿入方向後半部である後半分が四角形をなす比較的肉厚の薄い板状体からなり、その内面の略中央部には下向きに突出されたネジ軸部５８が設けられている。また、下シェル５４は、同じく挿入方向前半部が半円形をなし且つ挿入方向後半部が四角形をなしていて適当な厚みを有する平面部としての板状体からなり、その内面には円形の凹陥部からなるディスク収容室５５が設けられている。そして、下シェル５４の幅方向の両側面部には、ディスク記録再生装置に装着する際の位置決めや誤挿入防止等の役割を果たすガイド溝６０，６１がそれぞれ前後方向に延在させて設けられている。
【００４６】
更に、下シェル５４のディスク収容室５５の外側には、このディスク収容室５５と同心をなす円周溝５９が設けられている。この円周溝５９は、一方のガイド溝６０の近傍から始まってディスク収容室５５の周囲を略３／４程度覆うように設定されており、その始端部には係止部材の一具体例を示す係止アーム６２が回動自在に収容されるアーム収容凹部６３が連通されている。このアーム収容凹部６３には支持ピン６３ａが立設されていて、この支持ピン６３ａに係止アーム６２の基端が回動自在に支持されている。
【００４７】
係止アーム６２は、その先端に設けられた係止爪６２ａと、この係止爪６２ａと支持ピン６３ａ用の孔との間に設定された入力凸起６２ｂとを備えている。この係止アーム６２の係止爪６２ａと入力凸起６２ｂとは同一方向に突出されており、弾性体の一具体例を示す捩りバネ６４によって常時ガイド溝６０側に付勢されている。即ち、捩りバネ６４のコイル部は支持ピン６３ａに緩く嵌合されていて、一端がアーム収容凹部６３内のバネ受け片６３ｂに係止され、その他端が係止アーム６２に着座されている。この係止アーム６２は係止爪６２ａと入力凸起６２ｂとが、ガイド溝６０とアーム収容凹部６３との間を連通する連通口６５に臨むように設定されている。そして、捩りバネ６４のバネ力により入力凸起６２ｂがガイド溝６０内に突出している一方、係止爪６２ａはアーム収容凹部６３内に納まるように設定されている。
【００４８】
この係止アーム６２の係止爪６２ａに一端が臨むように、円周溝５９内にリボン状のロックバンド６６が摺動自在に収納されている。このロックバンド６６の長手方向の一端には、係止爪６２ａが着脱可能に係止される係止穴が開口されていて、その長手方向の中途部である下シェル５４の挿入方向前半部の略中央部には開閉扉５７が一体的に固定されている。このロックバンド６６と捩りバネ６４と係止アーム６２とにより、開閉扉５７を開口窓５６の閉状態でロックする第３のロック機構が構成されている。
【００４９】
また、ロックバンド６６と開閉扉５７との固定部に対応する下シェル５４の挿入方向前半部には、開閉扉５７を回動操作するための操作用凹部６７が設けられている。この操作用凹部６７は、下シェル５４の挿入方向前半部の略中央部から他方のガイド溝６１に達する部分まで横方向に長く延在されていて、これに対応するディスク収容室５５と円周溝５９との間に設定された突条には開閉扉５７が摺動自在に通過する切欠き部６７ａが設けられている。
【００５０】
更に、下シェル５４には、その略中心であるディスク収容室５５の中央部にハブ穴６８が開口されていると共に、このハブ穴６８に連続して前方に延びて挿入方向前半部の中央部近傍まで達する開口窓５６が設けられている。この開口窓５６及びハブ穴６８は、下シェル５４に装着される開閉扉５７によって開閉自在とされている。
【００５１】
この開閉扉５７は断面形状がコ字状をなしていて、開口窓５６及びハブ穴６８を開閉するシャッタ片５７ａと、このシャッタ片５７ａの外周縁に連続する外周片５７ｂと、この外周片５７ｂに連続し且つシャッタ片５７ａと対向するように設けられたベース片５７ｃとを備えている。この開閉扉５７のシャッタ片５７ａの基端には挿通穴５７ｄが設けられ、また、外周片５７ｂは一部を膨出させて指等が掛かりやすいようにしている。開閉扉５７のベース片５７ｃは上シェル５３の内面に沿うよう配置されていて、その内周端にはシャッタ片５７ａ側に突出する操作ピン７０が一体に設けられている。
【００５２】
また、カートリッジ筐体５２のディスク収容室５５内に収容される光ディスク５１は、中央部にナット穴７１を有するディスク部５１ａと、このディスク部５１ａの一面の中央部に設けられた筒軸部５１ｂとを備えている。この光ディスク５１の筒軸部５１ｂは、下シェル５４のハブ穴６８及び開閉扉５７の挿通穴５７ｄを貫通して下面側に突出している。そして、筒軸部５１ｂの先端部に固定されたリング状の止め輪７２によってシャッタ片５７ａの抜け出しが防止されている。更に、ナット穴７１にはナット部材７３が緩く嵌合されていて、その内周面に設けたネジ部には上シェル５３のネジ軸部５８が螺合されている。
【００５３】
このナット部材７３は、ナット穴７１からの抜け出しを防止する頭部７３ａと、ネジ穴の中心と平行に延びるよう外周面に設けられたスリット７３ｂとを備えている。このナット部材７３のスリット７３ｂには、開閉扉５７の操作ピン７０が摺動可能に挿入される。そして、ナット部材７３の頭部７３ａ側を覆うように筒軸部５１ｂの内側には、ターンテーブルに装着するための鉄板等からなるチャッキングプレート７４が嵌合されている。
【００５４】
この光ディスク５１の材質としては、上述した第１の実施の例と同様に、ポリカーボネート（ＰＣ）等が好適であるが、その他の合成樹脂を適用することができることは勿論のこと、合成樹脂以外のガラス材やアルミニウム合金等の各種の材料を用いることができる。また、上下シェル５３，５４の材質としては、同じくＡＢＳ樹脂やＨＩＰＳ等の合成樹脂が好適であるが、その他の合成樹脂は勿論のことアルミニウム合金等の他の材料を用いることもできる。更に、開閉扉５７の材質としては、例えば、耐蝕性の高いステンレス鋼が好適であるが、アルミニウム合金等の金属は勿論のこと、合成樹脂を用いることもできる。
【００５５】
このような構成を有するディスクカートリッジ５０によれば、図１１及び図１２に示すように、開口窓５６が開閉扉５７によって閉じられているときには、ナット部材７３が上方に引上られて光ディスク５１が持ち上げられた状態にある。そのため、光ディスク５１の筒軸部５１ｂに開閉扉５７のシャッタ片５７ａが持ち上げられ、そのシャッタ片５７ａが下シェル５４の下面に圧接された状態となる。これにより、シャッタ片５７ａと下シェル５４との間の隙間を可及的に小さくして、微小なゴミの侵入をも効果的に抑制することができる。しかも、開閉扉５７は第３のロック機構によってロックされているため、使用者が開閉扉５７を誤って開けてしまうような事故の発生を未然に防ぐことができる。
【００５６】
このような開閉扉５７の閉状態からディスクカートリッジ５０をディスク記録再生装置に装着することにより、操作ピンが一方のガイド溝６０内に入り込んで係止アーム６２の入力凸起６２ｂを押圧すると、捩りバネ６４のバネ力に抗して係止アーム６２が内側に押し戻される。これにより、係止アーム６２の係止爪６２ａが内側に後退してロックバンド６６の係止穴から抜け出し、第３のロック機構によるロックが解除される。
【００５７】
そこで、扉開き機構を作動させて開閉扉５７を、図１１に示す閉状態から図１３に示す開状態に回動させることにより、開口窓５６が完全に開かれる。このとき、開閉扉５７の回動に応じてベース片５７ｃに設た操作ピン７０が一体に回動して、ナット部材７３を同じ角度だけ回動させる。これに対して、ナット部材７３が螺合されているネジ軸部５８は上シェル５３に一体とされているため、ナット部材７３の回動によってこのナット部材７３自体が操作ピン７０にガイドされて相対的に下方へ移動する。その結果、ナット部材７３の下降動作により、その頭部７３ａに支持されている光ディスク５１が自重によってナット部材７３の下降量だけ下降し、図１４に示す状態に変化する。
【００５８】
この状態で、ディスク記録再生装置側のターンテーブルを上昇させる等して光ディスク５１をチャッキングする。これにより、光ディスク５１がターンテーブルと回転方向に一体化されて、この光ディスク５１に対する情報信号の書込み（記録）或いは読出し（再生）が可能となる。
【００５９】
これとは逆に、ディスクカートリッジ５０をディスク記録再生装置から取り出すときには、上述した動作と逆の動作が行われる。そして、開閉扉５７が逆方向に回動されて、ディスクカートリッジ５０が図１３及び図１４に示す状態から図１１及び図１２に示す状態に変化する。
【００６０】
このような第２の実施の例に係るディスクカートリッジ５０によっても、上述した第１の実施の例に係るディスクカートリッジ１０と同様の効果を得ることができる。
【００６１】
以上説明したが、本発明は上記実施の例に限定されるものではなく、例えば、上記実施の例においては、情報記憶媒体として光ディスクを用いた例について説明したが、光磁気ディスク、フロッピーディスク等の磁気ディスク、その他各種の情報記憶媒体に適用することができる。更に、上記実施の例では、情報記憶装置として記録再生兼用のディスク記録再生装置に適用した例について説明したが、記録又は再生の一方のみが可能なディスク記憶装置に適用できることは勿論である。
【００６２】
また、上記実施の例においては、カートリッジ筐体１２，５２の一方の平面部に開口窓１６，５６を設けた例について説明したが、両面の平面部に開口窓を共に設け、カートリッジ筐体の上下から同時にアクセスできる構造とすることもできる。更に、弾性体として捩りバネを適用した例について説明したが、板バネその他のバネ材料を使用できることは勿論のこと、ゴム或いはこれに類似した合成樹脂等のゴム状弾性体を使用することもできる。このように、本発明は、その趣旨を逸脱しない範囲で種々変更できるものである。
【００６３】
【発明の効果】
以上説明したように、本発明によれば、カートリッジ筐体の平面部の平面に沿って開閉扉を回動させると共にロックバンドが円周溝に沿って摺動して開口窓を閉じた位置でロック機構により係止して開閉扉をロックする構成としたため、カートリッジ筐体と開閉扉との間の隙間を可及的に小さくすることができ、従って、微小なゴミがカートリッジ筐体と開閉扉との間の隙間からカートリッジ筐体内に入り込むのを効果的に抑制することができる。しかも、開口窓の閉鎖時、開閉扉はロック機構によってロックされているため、使用者が開閉扉を誤って開けてしまうような事故の発生を未然に防ぐことができるという効果が得られる。
【図面の簡単な説明】
【図１】  本発明の前提となる技術に係る情報記憶媒体カートリッジの実施の例を示すディスクカートリッジを下面側から見た開口窓開状態の斜視図である。
【図２】図１に示すディスクカートリッジを下面側から見た状態の分解斜視図である。
【図３】図１に示すディスクカートリッジの下シェル板を取り除いて開口窓を閉じた状態の平面図である。
【図４】図１に示すディスクカートリッジの更に上シェル板を取り除いて開口窓を閉じた状態の平面図である。
【図５】図１に示すディスクカートリッジの下シェル板を取り除いて開口窓を開いた状態の平面図である。
【図６】図１に示すディスクカートリッジの更に上シェル板を取り除いて開口窓を開いた状態の平面図である。
【図７】図１に示すディスクカートリッジの図３のＡ−Ａ線拡大断面図である。
【図８】図１に示すディスクカートリッジの図３のＢ−Ｂ線拡大断面図である。
【図９】図１に示すディスクカートリッジの図５のＣ−Ｃ線拡大断面図である。
【図１０】図１に示すディスクカートリッジの第２のロック機構を拡大して示す斜視図である。
【図１１】  本発明の情報記憶媒体カートリッジの実施の例を示すディスクカートリッジの下シェル板を断面して開口窓を閉じた状態の平面図である。
【図１２】図１１に示すディスクカートリッジのＤ−Ｄ線拡大断面図である。
【図１３】図１１に示すディスクカートリッジの下シェル板を断面して開口窓を開いた状態の平面図である。
【図１４】図１１に示すディスクカートリッジの図１３のＥ−Ｅ線拡大断面図である。
【図１５】従来のディスクカートリッジを示す斜視図である。
【符号の説明】
１０，５０…ディスクカートリッジ、  １１，５１…光ディスク（情報記憶媒体）、  １２，５２…カートリッジ筐体、  １３，５３…上シェル、  １４，５４…下シェル、  １４ａ…上シェル板、  １４ｂ…下シェル板、  １５，５５…ディスク収容室、  １６，１６ａ，１６ｂ，５６…開口窓、  １７，５７…開閉扉、  １７ａ，５７ａ…シャッタ片、  １７ｃ…ロック爪、  ２０，２１，６０，６１…ガイド溝、  ３１…ロックピン、  ４０…ロックアーム、  ４１，４６，６４…捩りバネ（弾性体）、  ４３…板バネ体（弾性部材）、  ４４…ロック片、  ４５…入力片、  ４８，７２…操作ピン、  ５７ｃ…係止片、  ５８…ネジ軸部、  ５９…円周溝、  ６２…係止アーム（係止部材）、  ６６…ロックバンド、  ７２…止め輪、  ７３…ナット部材
【図１】
0004006809.tif 000002
【図２】
0004006809.tif 000003
【図３】
0004006809.tif 000004
【図４】
0004006809.tif 000005
【図５】
0004006809.tif 000006
【図６】
0004006809.tif 000007
【図７】
0004006809.tif 000008
【図８】
0004006809.tif 000009
【図９】
0004006809.tif 000010
【図１０】
0004006809.tif 000011
【図１１】
0004006809.tif 000012
【図１２】
0004006809.tif 000013
【図１３】
0004006809.tif 000014
【図１４】
0004006809.tif 000015
【図１５】
0004006809.tif 000016